【手続補正書】
【提出日】平成16年6月23日(2004.6.23)
【手続補正１】
【補正対象書類名】明細書
【補正対象項目名】全文
【補正方法】変更
【補正の内容】
【書類名】      明細書
【発明の名称】  除湿機
【特許請求の範囲】
【請求項１】  圧縮機、蒸発器、凝縮器、を有する除湿機に関し、上記蒸発器及び凝縮器を通過する風路と、上記蒸発器及び凝縮器を通過しないで上記蒸発器及び凝縮器をバイパスするバイパス風路と、上記二系統の風路を仕切る境界と、上記二系統の風路両方に風を発生させる一台の送風ファンと、を備え、上記送風ファンへの上記二系統の風路の両吸い込み流れが、上記風路を仕切る境界にて仕切られて上記送風ファンに至るようにしたことを特徴とする除湿機。
【請求項２】  上記二系統の少なくともどちらか一方の風路の圧力損失を変化させるダンパーを備えたことを特徴とする請求項１記載の除湿機。
【請求項３】  上記ダンパーが除湿モードと洗濯物を乾燥させる乾燥モードとで異なるダンパー開閉制御を行う制御手段を備えたことを特徴とする請求項２記載の除湿機。
【請求項４】  上記送風ファンを両吸い込みの遠心ファンとし、上記遠心ファンのそれぞれの吸込口側からの両吸い込み流れは同一の吹き出し口より吹き出し流れとして流出するようにしたことを特徴とする請求項１に記載の除湿機。
【請求項５】  上記遠心ファンのそれぞれの吸込口は一方が上記二系統風路のうちの一系統風路に対し、他方が残りの一系統風路に対して風を発生させることを特徴とする請求項４記載の除湿機。
【請求項６】  正面側となる前記送風機の吸込口に通じる吸込グリルを上記正面側となる送風機の吸込口と対面しない位置に設けたことを特徴とする請求項４記載の除湿機。
【請求項７】  蒸発器及び凝縮器を通過する風路をユニットの背面側に開口する上記遠心ファンの吸込口と連通させ、上記蒸発器及び凝縮器をバイパスする風路をユニットの正面側に開口する上記遠心ファンの吸込口と連通させたことを特徴とする請求項６記載の除湿機。
【請求項８】  前記両熱交換器をバイパスする風路は、ファン吸い込み口正面以外の部分を吸い込み部としたことを特徴とする請求項１記載の除湿機。
【請求項９】  両吸い込み遠心ファンの両側の翼形状または枚数が異なることを特徴とする請求項５記載の除湿機。
【請求項１０】  二系統の風路を独立させ、それぞれの風路に送風ファンを備えたことを特徴とする請求項１記載の除湿機。
【請求項１１】  それぞれの風路に備えた送風ファンを独立運転可能にしたことを特徴とする請求項１０記載の除湿機。
【請求項１２】  上記二系統の両風路の圧力損失の違いを変化させるダンパーを上記蒸発器及び凝縮器をバイパスする風路に設けたことを特徴とする請求項２または請求項３に記載の除湿機。
【請求項１３】  上記両吸い込み遠心ファンの両側の羽根車は、蒸発器及び凝縮器をバイパスする風路用羽根車の羽根幅を蒸発器及び凝縮器を通過する風路用羽根車の羽根幅より小さくしたことを特徴とする請求項５記載の除湿機。
【発明の詳細な説明】
【０００１】
【発明の属する技術分野】
この発明は空気中の水分を除湿する除湿機に関するものである。
【０００２】
【従来の技術】
図８は例えば従来の除湿機を示す垂直断面図であり、図において、１は吸い込み口２の下流側の風路３に設けられた蒸発器であり、その下流には凝縮器４が設けられ更にその下流には送風ダクト５、送風ファン６、吹き出しダクト７を介して風向可変ベーン９を有する吹き出し口８が設けられている。また、蒸発器１はドレン口１０の下には、タンク１１が設置されている。一方蒸発器１と凝縮器４は冷媒配管にて底板１２の上に取り付けられた圧縮機１３に連結され、冷媒回路を構成している。
【０００３】
次に動作について説明する。圧縮機１３が運転を開始すると、高温高圧の冷媒ガスが凝縮器４に流れ込み、凝縮器４は高温に保たれる。また一方、送風ファン６により吸い込み口２より吸い込まれた空気１４により凝縮器４の冷媒ガスは冷却され凝縮し、高温高圧の気液混合状態となり、凝縮器４より流出し、更に毛細管を通ることにより低温低圧の冷媒液となり蒸発器１に流入する。蒸発器１の冷媒液は吸い込まれた空気１４により加熱されることにより蒸発し低圧の冷媒ガスとなり圧縮機１３に吸入される。
【０００４】
その時、同時に吸い込み空気１４は蒸発器９で冷却されることにより、冷却後の温度の飽和水蒸気より多く含まれていた水分は結露し、ドレンパン１５に受けられ、更にドレン口１０を通ってタンク１１内に落ち、貯められる。このように、蒸発器１を通過することにより冷却され、絶対湿度の低下した吸い込み空気１４は更に凝縮器４を通過することにより加熱され、常温の除湿空気として送風ダクト５を通り、送風ファン６により吹き出しダクト７を通り吹き出し口８より放出される。
【０００５】
【発明が解決しようとする課題】
除湿機の使用目的は、以上のような動作による空気中の水分を除去することの他、洗濯物を速く乾かすという機能も重要な点となってきている。この機能の向上には、冷媒回路上での除湿能力自体を改善する方法と、洗濯物に当てる風の風速を大きくする方法の二点が考えられる。すなわち送風ファンによる送風量を増大させることが、この機能を向上させることにおいて大きな改善項目となる。一方、冷媒回路上においては、圧縮機、蒸発器、凝縮器の大きさ、性能を変えずに風量を増大させると、ある一定量以上になると除湿量は逆に低下してしまうという問題点がある。
【０００６】
この発明は上記のような課題を解決するためになされたもので、蒸発器及び凝縮器における除湿能力を充分に発揮しながら、大きな吹き出し風量が確保できる除湿機を得ることを目的とする。
【０００７】
【課題を解決するための手段】
この発明に係る除湿機は、圧縮機、蒸発器、凝縮器、を有する除湿機に関し、上記蒸発器及び凝縮器を通過する風路と、上記蒸発器及び凝縮器を通過しないで上記蒸発器及び凝縮器をバイパスするバイパス風路と、上記二系統の風路を仕切る境界と、上記二系統の風路両方に風を発生させる一台の送風ファンと、を備え、上記送風ファンへの上記二系統の風路の両吸い込み流れが、上記風路を仕切る境界にて仕切られて上記送風ファンに至るようにしたものである。
【０００８】
また、上記二系統の少なくともどちらか一方の風路の圧力損失を変化させるダンパーを備えたものである。
【０００９】
また、上記ダンパーが除湿モードと洗濯物を乾燥させる乾燥モードとで異なるダンパー開閉制御を行う制御手段を備えたものである。
【００１０】
また、上記送風ファンを両吸い込みの遠心ファンとし、上記遠心ファンのそれぞれの吸込口側からの両吸い込み流れは同一の吹き出し口より吹き出し流れとして流出するようにしたものである。
【００１１】
また、上記遠心ファンのそれぞれの吸込口は一方が上記二系統風路のうちの一系統風路に対し、他方が残りの一系統風路に対して風を発生させるものである。
【００１２】
また、正面側となる前記送風機の吸込口に通じる吸込グリルを上記正面側となる送風機の吸込口と対面しない位置に設けたものである。
【００１３】
また、蒸発器及び凝縮器を通過する風路をユニットの背面側に開口する上記遠心ファンの吸込口と連通させ、上記蒸発器及び凝縮器をバイパスする風路をユニットの正面側に開口する上記遠心ファンの吸込口と連通させたものである。
【００１４】
また、前記両熱交換器をバイパスする風路は、ファン吸い込み口正面以外の部分を吸い込み部としたものである。
【００１５】
また、両吸い込み遠心ファンの両側の翼形状または枚数が異なるものである。
【００１６】
また、二系統の風路を独立させ、それぞれの風路に送風ファンを備えたものである。
【００１７】
また、それぞれの風路に備えた送風ファンを独立運転可能にしたものである。
【００１８】
また、上記二系統の両風路の圧力損失の違いを変化させるダンパーを上記蒸発器及び凝縮器をバイパスする風路に設けたものである。
また、上記両吸い込み遠心ファンの両側の羽根車は、蒸発器及び凝縮器をバイパスする風路用羽根車の羽根幅を蒸発器及び凝縮器を通過する風路用羽根車の羽根幅より小さくしたものである。
【００１９】
【発明の実施の形態】
実施の形態１．
以下にこの発明の一実施の形態を図に基づいて説明する。図１はこの発明の除湿機を示す垂直断面の側面図であり、図中従来技術と同一または相当する部分には同一符号を付してその説明を省略する。また、冷凍サイクルの構成は従来技術のものと同様である。図１において、１６は蒸発器１と凝縮器４を含み、送風用遠心ファン１８へ至るメイン風路、１７は蒸発器１及び凝縮器４をバイパスするサブ風路であり直接送風用遠心ファン１８に至る。吸い込み口はユニット背面の吸い込みグリル１９であり、メイン風路１６及びサブ風路１７の両方に連通し、吹き出し口はユニット上面の吹き出し口８である。
【００２０】
次に動作について説明する。送風用遠心ファン１８が稼動すると、このファンへの吸い込み流れが、メイン風路１６側の流れは、ユニット背面の吸い込みグリル１９を通過し、蒸発器１、凝縮器４を順次通過し送風用遠心ファン１８へと至り、一方、バイパスするサブ風路１７側の流れは、吸い込みグリル１９を通過すると蒸発器９と凝縮器４を通過することなくサブ風路１７のみを通過し送風用遠心ファン１８へと至るようにそれぞれ形成される。そして両吸い込み流れは同一の吹き出し口８より吹き出し流れとして流出する。
【００２１】
この結果、蒸発器１及び凝縮器４からなる熱交換器の通過風量を大きく増加させることなく吹き出し口８から吹き出される吹き出し風量を増加させることが可能になり、熱交換器での除湿に適したメイン風路１６の通過風量と、洗濯物を乾かすのに適した吹き出し口８からの吹き出し風量を確保するためのサブ風路１７の通過風量とを得ることができる。
また、高温多湿時には蒸し暑さを感じることがあるが、本発明によれば、吹き出し風量を増大させることができるので、例えば除湿機が置かれた室内の空気循環を促すことができ、涼風感が得られ、快適な除湿環境を提供することも可能になる。
【００２２】
実施の形態２．
以下にこの発明の一実施の形態を図に基づいて説明する。図２はこの発明の除湿機を示す垂直断面の前面図と側面図であり、図中実施の形態１と同一または相当する部分には同一符号を付してその説明を省略する。また、冷凍サイクルの構成は従来技術のものと同様である。図２において、１は蒸発器、４は凝縮器で、１７はこれらの下側以外に組み込まれたバイパスするサブ風路（本実施の形態では蒸発器１及び凝縮器４の上方に組込まれている）、２０は風路仕切り板穴であり、サブ風路１７と送風用遠心ファン１８を直接結ぶ。
【００２３】
次に動作について説明する。送風遠心ファン１８が稼動すると、このファンへの吸い込み流れが、メイン風路１６側の流れは、ユニット背面の吸い込みグリル１９を通過し、蒸発器１、凝縮器４を順次通過し送風用遠心ファン１８へと至り、一方、バイパスするサブ風路１７側の流れは、吸い込みグリル１９を通過すると蒸発器１と凝縮器４を通過することなくこれら熱交換器の上方に形成されたサブ風路１７を通過し、メイン風路１６から送風用遠心ファン８へ至る風路の両側に形成された風路仕切り板穴２０を介して送風用遠心ファン８へと至るようにそれぞれ形成される。そして両吸い込み流れは同一の吹き出し口８より吹き出し流れとして流出する。
【００２４】
このような構成とすることにより、蒸発器１及び凝縮器４より成る熱交換器とその下方に配置された重量物である圧縮機１３とを結ぶ一連の冷凍サイクルのレイアウトを制約することなくバイパス用のサブ風路１７が確保でき、低重心で安定性の良い除湿機とすることができる。
また、冷凍サイクルが高さ方向に制約を受けにくいため、水平面方向に大きくすることなく、蒸発器や凝縮器の拡大が図れ、除湿能力を充分確保できる。特に蒸発器１や凝縮器４の高さ方向への拡大によって、風路仕切板穴２０も大きくできるから、除湿能力と吹き出し風量とをリンクさせて確保することができる。
【００２５】
実施の形態３．
以下にこの発明の一実施の形態を図に基づいて説明する。図３はこの発明の除湿機を示す垂直断面の側面図であり、図中実施の形態１と同一または相当する部分には同一符号を付してその説明を省略する。また、冷凍サイクルの構成は従来技術のものと同様である。図３において、２１はメイン風路１６とサブ風路１７を仕切る境界と風路を変化させるダンパーとの役目を果たす風量切り換えダンパーで、メイン風路１６とサブ風路１７との共通の吸込口となる吸い込みグリル１９から各風路の分岐点となる位置に設けられている。
【００２６】
次に動作について説明する。送風用遠心ファン１８が稼動すると、吸い込み流れは、ユニット背面の吸い込みグリル１９を通過し、蒸発器１、凝縮器４を順次通過し送風用遠心ファン１８へと至るメイン風路１６と、吸い込みグリル１９を通過すると蒸発器１と凝縮器４を通過することなく送風用遠心ファン１８へと至るサブ風路１７の両方を通る。このとき風量切り換えダンパー２１が閉まっている場合は、それぞれ風路を仕切る境界の壁として作用し、開いている場合は、その開度により風路を変化させ、メイン風路１６とサブ風路１７の風量比を制御するダンパーとして作用する。
【００２７】
メイン風路１６は蒸発器１、凝縮器４によりサブ風路１７に比べて圧力損失が大きいため、風はサブ風路１７側へ回り込み易い。そのため、室内環境等によって除湿能力を変更する場合、送風用遠心ファン１８の風速も変更することになるが、メイン風路１６とサブ風路１７とのバランスが圧力損失の違いにより変化するので、これを風量切り換えダンパー２１の開度を調節することで補正できる。具体的には、室内の湿度が設定湿度に比較的近い状態にある場合、除湿能力はそれほど大きくする必要がなくなり、低能力運転となる。これに連動して送風用遠心ファン１８の風速も遅くなるが、圧力損失の違いにより、より多くの割合の風がサブ風路１７側へ回り込む。
【００２８】
このとき、風量切り換えダンパー２１の開度を調節し、サブ風路１７側の風路面積を狭めることで、それぞれの風路を流れる風量をコントロールすることが可能になり、メイン風路１６に充分な風量を確保することができる。
また、洗濯物を乾かす場合には、室内の湿度に関係なく大きな吹き出し風量を得たいので、室内の湿度が設定湿度に近く除湿能力が低い低能力運転となっていても、風量切り換えダンパー２１の開度をサブ風路１７側の風路面積が充分確保できるようにしておけば、吹き出し口８から充分な吹き出し風を得ることができる。
【００２９】
このようなダンパーの切り換えは、ユニットに設けられた除湿モードとランドリーモード（乾燥モード）などのモード切り換えボタンによってユニット内の制御手段が除湿能力、風速と共に自動的に制御する構成とすることで達成される。
また、本実施の形態の構成によれば、風量切り換えダンパー２１をメイン風路１６側に傾ければメイン風路１６側の風路が広がると共にサブ風路１７側の風路が狭まり、逆に風量切り換えダンパー２１をサブ風路１７側に傾ければメイン風路１６側の風路が狭まると共にサブ風路１７側の風路が広まり、一つのダンパーで二つの風路の風路面積を同時に調節することができ、風路面積比を制御するのに好適である。
【００３０】
実施の形態４．
以下にこの発明の一実施形態を図に基づいて説明する。図４はこの発明の除湿機を示す垂直断面の側面図であり、図中実施の形態１と同一または相当する部分には同一符号を付してその説明を省略する。また、冷凍サイクルの構成は従来技術のものと同様である。図４において、送風用遠心ファン２２は、一方側が蒸発器１、凝縮器４を通過するメイン風路用の羽根車２３で、もう一方側がこれらをバイパスするサブ風路用の羽根車２４である両吸い込みの遠心ファンである。また吸い込み口は、メイン風路側がユニット背面の吸い込みグリル１９で、サブ風路側がユニット前面の吸い込みグリル２５である。
【００３１】
次に動作について説明する。送風用両吸い込み遠心ファン２２が稼動すると、メイン風路用の羽根車２３に流入する流れは、ユニット背面の吸い込みグリル１９を通過し、蒸発器１、凝縮器４を順次通過し送風用両吸い込み遠心ファン２２のメイン風路用羽根車２３へと至る。一方、サブ風路用の羽根車２４に流入する流れは、ユニット前面の吸い込みグリル２５を通過し、直接送風用両吸い込み遠心ファン２２のサブ風路側羽根車２４へと至る。そして両吸い込み流れは同一の吹き出し口８より吹き出し流れとして流出する。
【００３２】
このような構成とすることで、各風路の吸い込みグリルから遠心ファンに至る風路長さを短くできるから、ユニット全体を小型化でき、また、風路長が短く単純なため、圧力損失や音の発生を低減できる。
また、グリルをユニットの前面と背面という異なる面に形成しているため、互いの吸込口の開口面積に影響されることなく充分な開口面積を得ることができる。
また、メイン風路１６とサブ風路１７とで吸い込みグリルが独立しているので、除湿能力や吹き出し風量の変化によって互いに吸い込み風を干渉することがなく、除湿能力を充分発揮しながら吹き出し風量を確保することができる。
【００３３】
実施の形態５．
以下にこの発明の一実施形態を図に基づいて説明する。図５はこの発明の除湿機を示す垂直断面の側面図であり、図中実施の形態１と同一または相当する部分には同一符号を付してその説明を省略する。また、冷凍サイクルの構成は従来技術のものと同様である。図５において、２６は除湿機本体隙間を利用して形成したサブ風路用吸い込み口で、本体ユニット正面方向に開口する送風用両吸い込み遠心ファン２２の吸込口と対面しない位置で、正面下部に開口した２６ａと、本体上部に開口した２６ｂとからなる。２７は除湿機本体内空間を利用したサブ風路である。
【００３４】
次に動作について説明する。送風用両吸い込み遠心ファン２２が稼動すると、このファンへの吸い込み流れが、メイン風路１６側の流れは、ユニット背面の吸い込みグリル１９を通過し、蒸発器１、凝縮器４を順次通過し送風用両吸い込み遠心ファン２２のメイン風路用羽根車２３へと至り、一方、バイパスするサブ風路２７の流れは、除湿機本体隙間を利用したサブ風路用吸い込み口２６（２６ａ、２６ｂ）を通過した後、除湿機本体内空間２７をサブ風路として通過し送風用両吸い込み遠心ファン２２のサブ風路用羽根車２４へと至るようにそれぞれ形成される。そして両吸い込み流れは同一の吹き出し口８より吹き出し流れとして流出する。
【００３５】
このような構成とすることで、ユニット正面側には送風用両吸い込み遠心ファン２２のユニット正面側の吸込口（サブ風路用羽根車２４の吸込口）と対面する位置に吸込みグリルを形成しておらず、吸込口とずれた位置にあるサブ風路用吸い込み口２６から吸い込むので、送風用両吸い込み遠心ファン２２により発生する音が前面に直接放射されなくなり、低騒音化が図れる。尚、メイン風路１６については、蒸発器１と凝縮器４とにより送風用両吸い込み遠心ファン２２からの音は遮蔽される。但し、冷凍サイクルや熱交換器の通過音等別の要因による音の発生が考えられ、また、熱交換器による圧力損失が大きいことから、吸込グリル１９から送風用両吸い込み遠心ファン２２に至る風路がより直線的である方が望ましいため、メイン風路１６をユニット背面側に配置すると好適である。
【００３６】
実施の形態６．
以下にこの発明の一実施形態を図に基づいて説明する。図６はこの発明による一実施形態に組み込まれている送風用両吸い込み遠心ファンの側面図であり、例えば実施の形態４、５の除湿機に適用される。図６において、正面側のサブ風路用羽根車２４の翼形状と背面側のメイン風路用羽根車２３の翼形状は、それぞれ空力特性、騒音特性が最も良好になるよう、必ずしも同一でないもので構成されている。
【００３７】
次に動作について説明する。例えば実施の形態５によると、サブ風路１７側の流れは除湿機本体の隙間２６を通過しさらに除湿機本体空間内２７をサブ風路として通過し送風用両吸い込み遠心ファン２２の前面側サブ風路用羽根車２４へ至る。一方、メイン風路１６側の流れはユニット背面の吸い込みグリル１９を通過し、蒸発器１、凝縮器４を順次通過し送風用両吸い込み遠心ファン２２の背面側メイン風路用羽根車２３へ至る。このような風路を形成しているため、それぞれに対する風圧損失は、サブ風路１７側のものがメイン風路１６側のものに比べ非常に大きいため、それぞれ空力特性と騒音特性を最も良好になるように、正面側のサブ風路用羽根車２４の羽根幅２８を背面側のメイン風路用羽根車２３の羽根幅２９より小さくし最適にしている。
【００３８】
実施の形態７．
以下にこの発明の一実施の形態を図に基づいて説明する。図７はこの発明の除湿機を示す垂直断面の側面図であり、図中実施の形態１と同一または相当する部分には同一符号を付してその説明を省略する。また、冷凍サイクルの構成は従来技術のものと同様である。図７において、３０はメイン風路１６に送風する遠心ファンであり、３１はサブ風路１７に送風するクロスフローファンであり、３２はメイン風路用吸い込み口、３３サブ風路用吸い込み口、３４はサブ風路用吸い込み口３２とクロスフローファン３１を結ぶサブ風路である。遠心ファン３０、クロスフローファン３１はそれぞれ独立したモータによって独立に駆動制御される。
【００３９】
次に動作について説明する。メイン風路送風用遠心ファン３０が稼動すると、このファンへの吸い込み流れが、メイン風路用吸い込み口３２を通過し、蒸発器１、凝縮器４を順次通過しメイン風路送風用遠心ファン３０へと至る。一方、バイパスするサブ風路送風用クロスフローファンが稼動すると、サブ風路用吸い込み口３３を通過すると蒸発器１と凝縮器４を通過することなくサブ風路１７のみを通過しサブ風路送風用クロスフローファン３１へと至る様にそれぞれ形成される。そして両吸い込み流れは別々の吹き出し口３５より吹き出し流れとして流出する。更に、メイン風路送風用遠心ファン３０とサブ風路送風用クロスフローファン３１は別々に独立して運転している。
【００４０】
このような構成とすることで、除湿のための風路と風量増大のための風路とが独立することから、互いに干渉することがなく、除湿能力及び風速確保に適した運転が可能になる。即ち、メイン風路送風用遠心ファン３０は冷凍サイクルを制御することによって変化する除湿能力に応じて変更すればよく、メイン風路１６の通過風量を除湿に適した風量にできる。また、サブ風路送風用クロスフローファン３１は除湿能力とは別に風量確保のために必要な風速で運転を行えば良い。
【００４１】
具体的には、室内の湿度が設定湿度に比較的近い状態にある場合、除湿能力はそれほど大きくする必要がなくなり、低能力運転となる。これに連動してメイン風路送風用遠心ファン３０及びサブ風路送風用クロスフローファン３１の風速も遅くする。このように両ファンの風速を遅くすることで、静音性が向上する。
室内の湿度が設定湿度に比較的近い状態にある場合でも、涼風感を得たい場合には、除湿能力はそれほど大きくする必要がないので低能力運転となり、これに連動してメイン風路送風用遠心ファン３０の風速も遅くする。しかしながらサブ風路送風用クロスフローファン３１の風速は速いままにすることで、吹き出し風量は大きいため、室内の空気循環が促され涼風感が得られる。
【００４２】
また、洗濯物を乾かす場合には、室内の湿度に関係なく大きな吹き出し風量を得たい。そこで室内の湿度が設定湿度に近く除湿能力が低い低能力運転とし、これに連動してメイン風路送風用遠心ファン３０の風速も遅くする。しかしながらサブ風路送風用クロスフローファン３１の風速を速いままにすることで、吹き出し風量は大きくすることができ、洗濯物を乾かすのに好適な大風量が得られる。
このような風速制御はユニットに設けられた除湿モードとランドリーモード（乾燥モード）などのモード切り換えボタンによってユニット内の制御手段が除湿能力、風速を自動的に制御する構成とすることで達成される。
【００４３】
【発明の効果】
以上のように、この発明によれば、圧縮機、蒸発器、凝縮器、を有する除湿機に関し、上記蒸発器及び凝縮器を通過する風路と、上記蒸発器及び凝縮器を通過しないで上記蒸発器及び凝縮器をバイパスするバイパス風路と、上記二系統の風路を仕切る境界と、上記二系統の風路両方に風を発生させる一台の送風ファンと、を備え、上記送風ファンへの上記二系統の風路の両吸い込み流れが、上記風路を仕切る境界にて仕切られて上記送風ファンに至るようにしたので、除湿能力を高めながら吹き出し風量を増大することができる効果が得られる。また、熱交換器での除湿に適したメイン風路の通過風量と吹き出し風量を確保するためのサブ風路の通過風量とを得ることができ、涼風感が得られ、快適な除湿環境を提供することが可能となる効果が得られる。
【００４４】
また、バイパス風路を少なくとも上記蒸発器及び凝縮器の下方以外に形成したので、ユニットを大きくすることなく除湿能力と乾燥効率を向上させることができる効果が得られる。
【００４５】
また、上記二系統の少なくともどちらか一方の風路の圧力損失を変化させるダンパーを備えたので、除湿モードと乾燥モードとのそれぞれに適した二系統の風路の風量バランスの調整ができる効果が得られる。
【００４６】
また、上記ダンパーが除湿モードと洗濯物を乾燥させる乾燥モードとで異なるダンパー開閉制御を行う制御手段を備えたので、除湿モードと乾燥モードとのそれぞれに適した二系統の風路の風量バランスの調整ができる効果が得られる。
【００４７】
また、送風ファンを両吸い込みの遠心ファンとし、上記遠心ファンのそれぞれの吸込口側からの両吸い込み流れは同一の吹き出し口より吹き出し流れとして流出するようにしたので、風路構成を単純にでき、ユニットの小型化が図れる効果が得られる。
【００４８】
また、上記遠心ファンのそれぞれの吸込口は一方が上記二系統風路のうちの一系統風路に対し、他方が残りの一系統風路に対して風を発生させるので、風路が独立することで、互いの干渉を低減できる効果が得られる。
【００４９】
また、蒸発器及び凝縮器を通過する風路をユニットの背面側に開口する上記遠心ファンの吸込口と連通させ、上記蒸発器及び凝縮器をバイパスする風路をユニットの正面側に開口する上記遠心ファンの吸込口と連通させたので、蒸発器及び凝縮器による圧力損失の大きい風路の構成を単純にでき、全体として低騒音にできる効果が得られる。
【００５０】
また、正面側となる前記送風機の吸込口に通じる吸込グリルを上記正面側となる送風機の吸込口と対面しない位置に設けたので、遠心ファンからの音がユニット正面側への直接抜けるのを低減し低騒音化できる効果が得られる。
【００５１】
また、前記両熱交換器をバイパスする風路は、ファン吸い込み口正面以外の部分を吸い込み部としたので、音が抜け易いバイパスする風路からユニット正面側へ遠心ファンからの音が抜けるのを低減し低騒音化できる効果が得られる。
【００５２】
また、両吸い込み遠心ファンの両側の翼形状または枚数が異なるので、圧力損失の大きな除湿側の風路と、圧力損失の小さなバイパスする風路との空力特性と騒音特性に応じた送風が可能になる効果が得られる。
【００５３】
また、二系統の風路を独立させ、それぞれの風路に送風ファンを備えたので、互いの風路が干渉し合うことを防止でき、それぞれの風路の状態を適度に維持できる効果が得られる。
【００５４】
また、それぞれの風路に備えた送風ファンを独立運転可能にしたので、それぞれの風路に適した送風が行える効果が得られる。
また、上記二系統の両風路の圧力損失の違いを変化させるダンパーを上記蒸発器及び凝縮器をバイパスする風路に設けたので、除湿量が大きく変化しても二系統の風路を流れる風量をコントロールすることが可能となる効果が得られる。
また、上記両吸い込み遠心ファンの両側の羽根車は、蒸発器及び凝縮器をバイパスする風路用羽根車の羽根幅を蒸発器及び凝縮器を通過する風路用羽根車の羽根幅より小さくしたので、メイン風路とサブ風路におけるそれぞれの空力特性と騒音特性を最も良好にできる効果が得られる。
【図面の簡単な説明】
【図１】  この発明の実施の形態１における除湿機を示す垂直断面図である。
【図２】  この発明の実施の形態２における除湿機を示す垂直断面図である。
【図３】  この発明の実施の形態３における除湿機を示す垂直断面図である。
【図４】  この発明の実施の形態４における除湿機を示す垂直断面図である。
【図５】  この発明の実施の形態５における除湿機を示す垂直断面図である。
【図６】  この発明の実施の形態４、５における除湿機に組み込まれている送風用両吸い込み遠心ファンを示す側面図である。
【図７】  この発明の実施の形態７における除湿機を示す垂直断面図である。
【図８】  従来の除湿機を示す垂直断面図である。
【符号の説明】
１  蒸発器、  ２  吸い込み口、  ３  風路、  ４  凝縮器、  ５  送風ダクト、  ６  送風ファン、  ７  吹き出しダクト、  ８  吹き出し口、  ９  風向可変ベーン、  １０  ドレン口、  １１  タンク、  １２  底板、  １３  圧縮機、  １４  空気、  １５  ドレンパン、  １６  メイン風路、  １７  サブ風路、  １８  送風用遠心ファン、  １９  ユニット背面の吸い込みグリル、  ２０  風路仕切り板穴、  ２１  風量切り換えダンパー、  ２２  送風用両吸い込み遠心ファン、  ２３  メイン風路用羽根車、  ２４  サブ風路用羽根車、  ２５  ユニット前面の吸い込みグリル、  ２６  除湿機本体隙間を利用した吸い込み口、  ２７  除湿機本体内空間を利用したサブ風路、  ２８  前面側サブ風路用羽根車の羽根幅、  ２９  背面側メイン風路用羽根車の羽根幅、  ３０  メイン風路送風用遠心ファン、  ３１  サブ風路送風用クロスフローファン、  ３２  メイン風路用吸い込み口、  ３３  サブ風路用吸い込み口、  ３４  サブ風路、  ３５  分離した吹き出し口。